(57)【要約】【課題】嗜好情報として携帯端末装置に蓄積される情報（ダウンロードした着信メロディやメールの着信回数など）を用いることにより、ユーザの嗜好を示す入力を省略してユーザの手間を大幅に軽減し、ユーザの嗜好に適した情報を自動的にダウンロードすることができるユーザ嗜好収集システムを提供する。【解決手段】携帯電話機１には着信メロディをダウンロードすると、その楽曲の履歴データがメモリ部に蓄積される。ユーザが着信メロディをダウンロードするため、サーバ装置にアクセスすると、推薦システムを用いるか否かの応答がサーバ装置より送られる。推薦システム使用を選択すると、メモリ部から楽曲の履歴データが送られ、サーバ装置では履歴データを分析して嗜好情報を得て、その嗜好情報に基づき楽曲を検索して推薦すべき曲を決定する。その曲データが携帯端末装置に送られ、ユーザはダウンロードすることができる。【選択図】図１
2008269382.tif 000002
【特許請求の範囲】
【請求項１】
携帯端末と、着信メロディの曲データを含むコンテンツを多数有するコンテンツデータベースを有し、前記携帯端末の要求に応じてコンテンツを配信する嗜好情報収集機能およびコンテンツ配信機能を有するサーバ装置と、前記携帯端末とサーバ装置を接続するネットワークとからなるシステムであって、
前記嗜好情報収集機能のサーバ装置は、
前記携帯端末から情報をダウンロードするための要求があった場合、推薦システムを使用するか否かをユーザに選択させるための応答信号を前記携帯端末に送信する推薦システム使用問合せ手段と、
前記携帯端末から履歴データが送られてきた場合、該履歴データを分析し、携帯端末ユーザの嗜好情報を出力する嗜好情報分析手段と、
前記嗜好情報分析手段の嗜好情報により前記コンテンツデータベースを探索し、推薦するコンテンツを決定するコンテンツ決定手段とを有し、
前記携帯端末は、
データ送受信制御手段と、
前記コンテンツ配信機能のサーバ装置からダウンロードしたコンテンツについて、該コンテンツの項目の履歴データを蓄積する履歴データメモリ部と、
前記嗜好収集機能のサーバ装置より応答信号が送られてきた場合、推薦システムを使用するか否かをユーザに選択させ、ユーザが推薦システムを選択したとき、または推薦システムを使用することが設定されているとき、前記履歴データメモリより履歴データを読み出し前記データ送受信制御部によって前記嗜好収集機能のサーバ装置に送信させる推薦システム制御手段とを有し、
前記コンテンツ配信機能のサーバ装置は、
前記コンテンツ決定手段で決定したコンテンツを前記コンテンツデータベースから読み出し、読み出したコンテンツを推薦コンテンツとして前記携帯端末に送信するコンテンツ配信手段と、
を有することを特徴とする携帯端末における自動ユーザ嗜好収集システム。
【請求項２】
前記コンテンツは、着信メロディの曲データであることを特徴とする請求項１記載の携帯端末における自動ユーザ嗜好収集システム。
【請求項３】
前記コンテンツの項目の履歴データは、曲のタイトル，アーティスト，ジャンルまたはキーワードの項目であることを特徴とする請求項２記載の携帯端末における自動ユーザ嗜好収集システム。
【請求項４】
前記嗜好情報分析手段は、携帯端末から送られてきた同じアーティストの曲の数をそれぞれ算出し、最も多い同じアーティストの曲を選択すべき嗜好情報として出力することを特徴とする請求項１，２または３記載の携帯端末における自動ユーザ嗜好収集システム。
【請求項５】
前記嗜好情報分析手段は、携帯端末から送られてきた同じジャンルの曲の数をそれぞれ算出し、最も多い同じジャンルの曲を選択すべき嗜好情報として出力することを特徴とする請求項１，２または３記載の携帯端末における自動ユーザ嗜好収集システム。
【請求項６】
前記履歴データには曲のキーワードを有しており、携帯端末から送られてきた同じキーワードを有する曲の数をそれぞれ算出し、最も多い同じキーワードを有する曲を選択すべき嗜好情報として出力することを特徴とする請求項１，２または３記載の携帯端末における自動ユーザ嗜好収集システム。
【請求項７】
着信メロディの曲データを含むコンテンツを多数有するコンテンツデータベースを有し、携帯端末の要求に応じてコンテンツを配信する嗜好情報収集機能およびコンテンツ配信機能を有するサーバ装置であって、
前記嗜好情報収集機能のサーバ装置は、
前記携帯端末から情報をダウンロードするための要求があった場合、推薦システムを使用するか否かをユーザに選択させるための応答信号を前記携帯端末に送信する推薦システム使用問合せ手段と、
前記携帯端末から履歴データが送られてきた場合、該履歴データを分析し、携帯端末ユーザの嗜好情報を出力する嗜好情報分析手段と、
前記嗜好情報分析手段の嗜好情報により前記コンテンツデータベースを探索し、推薦するコンテンツを決定するコンテンツ決定手段とを有し、
前記コンテンツ配信機能のサーバ装置は、
前記コンテンツ決定手段で決定したコンテンツを前記コンテンツデータベースから読み出し、読み出したコンテンツを推薦コンテンツとして前記携帯端末に送信するコンテンツ配信手段と、
を有することを特徴とする自動ユーザ嗜好収集システムに用いるサーバ装置。
【発明の詳細な説明】
【技術分野】
【０００１】
本発明は、携帯端末に蓄積されている情報を基にユーザの嗜好を分析し最適なサービスを提供する自動ユーザ嗜好収集システムおよび該システムに用いるサーバ装置に関する。
【背景技術】
【０００２】
ユーザの嗜好に基づき情報を収集するシステムが提案されている。
その中に、パチンコ台またはパチスロ台に関する情報を提供する情報提供サーバ（特許文献１）があり、携帯電話より取得されるユーザの位置情報およびサーバに蓄積されている遊技情報に基づき、ユーザに身近な場所に存在するユーザの嗜好に合致したパチンコ台情報を得るものである。
このシステムは、サーバ装置に各パチンコ台またはパチスロ台の特徴を示す情報を蓄積しており、サーバ装置の情報からユーザは自らの嗜好に適合したパチンコ台またはパチスロ台を容易に選択することを可能にするものである。
【０００３】
また、ユーザの嗜好を利用するものとして携帯電話着信メロディ配信システムが提案されている（特許文献２）。  
この提案は、ユーザが所有する音声楽曲再生機での音声楽曲再生履歴やこの履歴を用いた嗜好分析結果を着信メロディ販売元に送信し、着信メロディ販売元はこのデータを用いてユーザの嗜好に合った着信メロディまたはその購入情報をユーザの携帯電話に配信するものである。
【特許文献１】特開２００２−３２９０２９号公報
【特許文献２】特開２００４−２１９７９０号公報
【発明の開示】
【発明が解決しようとする課題】
【０００４】
ところで、特許文献１はユーザの嗜好を分析する際にサーバに蓄積された、過去の遊技情報を用いているため、ユーザが当該技術を利用する際に、サーバに遊技情報を送信しなければならない。これはユーザが自らの情報を入力する必要があり、手間がかかるという欠点がある。
また、特許文献２は、ユーザの嗜好情報としてユーザが所有する音声楽曲再生機での音声楽曲再生履歴を利用するものであり、携帯電話の他に音声楽曲再生装置からの情報に基づきユーザの携帯電話に着信メロディまたはその購入情報を配信するものであり、携帯電話に含まれる着信メロディのダウンロード履歴などの情報をユーザの要請によってサーバにアップロードするものではない。
【０００５】
本発明は上記状況に鑑みなしたもので、その目的は、嗜好情報として携帯端末装置に蓄積される情報（ダウンロードした着信メロディやメールの着信回数など）を用いることにより、ユーザの嗜好を示す入力を省略してユーザの手間を大幅に軽減し、ユーザの嗜好に適した情報を自動的にダウンロードすることができるユーザ嗜好収集システムを提供することにある。本発明の他の目的はユーザ嗜好収集システムに用いるサーバ装置を提供することにある。
【課題を解決するための手段】
【０００６】
前記目的を達成するために本発明の請求項１は、携帯端末と、着信メロディの曲データを含むコンテンツを多数有するコンテンツデータベースを有し、前記携帯端末の要求に応じてコンテンツを配信する嗜好情報収集機能およびコンテンツ配信機能を有するサーバ装置と、前記携帯端末とサーバ装置を接続するネットワークとからなるシステムであって、前記嗜好情報収集機能のサーバ装置は、前記携帯端末から情報をダウンロードするための要求があった場合、推薦システムを使用するか否かをユーザに選択させるための応答信号を前記携帯端末に送信する推薦システム使用問合せ手段と、前記携帯端末から履歴データが送られてきた場合、該履歴データを分析し、携帯端末ユーザの嗜好情報を出力する嗜好情報分析手段と、前記嗜好情報分析手段の嗜好情報により前記コンテンツデータベースを探索し、推薦するコンテンツを決定するコンテンツ決定手段とを有し、前記携帯端末は、データ送受信制御手段と、前記コンテンツ配信機能のサーバ装置からダウンロードしたコンテンツについて、該コンテンツの項目の履歴データを蓄積する履歴データメモリ部と、前記嗜好収集機能のサーバ装置より応答信号が送られてきた場合、推薦システムを使用するか否かをユーザに選択させ、ユーザが推薦システムを選択したとき、または推薦システムを使用することが設定されているとき、前記履歴データメモリより履歴データを読み出し前記データ送受信制御部によって前記嗜好収集機能のサーバ装置に送信させる推薦システム制御手段とを有し、前記コンテンツ配信機能のサーバ装置は、前記コンテンツ決定手段で決定したコンテンツを前記コンテンツデータベースから読み出し、読み出したコンテンツを推薦コンテンツとして前記携帯端末に送信するコンテンツ配信手段とを有することを特徴とする。
本発明の請求項２は、請求項１記載の発明において、前記コンテンツは、着信メロディの曲データであることを特徴とする。
本発明の請求項３は、請求項２記載の発明において前記コンテンツの項目の履歴データは、曲のタイトル，アーティスト，ジャンルまたはキーワードの項目であることを特徴とする。
本発明の請求項４は、請求項１，２または３記載の発明において  前記嗜好情報分析手段は、携帯端末から送られてきた同じアーティストの曲の数をそれぞれ算出し、最も多い同じアーティストの曲を選択すべき嗜好情報として出力することを特徴とする。
本発明の請求項５は、請求項１，２または３記載の発明において前記嗜好情報分析手段は、携帯端末から送られてきた同じジャンルの曲の数をそれぞれ算出し、最も多い同じジャンルの曲を選択すべき嗜好情報として出力することを特徴とする。
本発明の請求項６は、請求項１，２または３記載の発明において前記履歴データには曲のキーワードを有しており、携帯端末から送られてきた同じキーワードを有する曲の数をそれぞれ算出し、最も多い同じキーワードを有する曲を選択すべき嗜好情報として出力することを特徴とする。
本発明の請求項７は、着信メロディの曲データを含むコンテンツを多数有するコンテンツデータベースを有し、携帯端末の要求に応じてコンテンツを配信する嗜好情報収集機能およびコンテンツ配信機能を有するサーバ装置であって、前記嗜好情報収集機能のサーバ装置は、前記携帯端末から情報をダウンロードするための要求があった場合、推薦システムを使用するか否かをユーザに選択させるための応答信号を前記携帯端末に送信する推薦システム使用問合せ手段と、前記携帯端末から履歴データが送られてきた場合、該履歴データを分析し、携帯端末ユーザの嗜好情報を出力する嗜好情報分析手段と、前記嗜好情報分析手段の嗜好情報により前記コンテンツデータベースを探索し、推薦するコンテンツを決定するコンテンツ決定手段とを有し、前記コンテンツ配信機能のサーバ装置は、前記コンテンツ決定手段で決定したコンテンツを前記コンテンツデータベースから読み出し、読み出したコンテンツを推薦コンテンツとして前記携帯端末に送信するコンテンツ配信手段と、を有することを特徴とする。
【発明の効果】
【０００７】
前記構成によれば、ユーザが特別に意識することなく、ユーザの嗜好にあった情報をダウンロードできるため、従来の技術に比べ、ユーザの手間が大幅に軽減される。メールの着信回数（着信メロディをダウンロードするメール）などの情報は殆どの場合ユーザが意識していない情報であり、ユーザの本質に近い嗜好分析が行える。実装によっては、サーバに情報を蓄積する必要がないため、サーバの容量が節約され、さらには不慮の事故による個人情報の流出の防止という観点からも有用である。
【発明を実施するための最良の形態】
【０００８】
以下、図面を参照して本発明の実施の形態を詳しく説明する。
図１は本発明による携帯端末における自動ユーザ嗜好収集システムの概略を示す図である。
このシステムは携帯電話機１と、携帯電話用通信事業者システム４と、インターネット５と、嗜好情報収集サーバ装置２と、コンテンツ配信サービスサーバ装置３より構成されている。
携帯電話機１は、コンテンツ配信サービス装置３からダウンロードしたコンテンツについて、そのコンテンツを特定するための項目の履歴データが格納される。例えば着信メロディの曲であれば、タイトル，アーティスト名，ジャンルなどの項目について、その項目名が履歴データである。
コンテンツ配信サービスサーバ装置３はコンテンツを格納するデータベースを備えており、ダウンロード要求により対応の携帯電話機にコンテンツを配信するものである。
【０００９】
嗜好情報収集サーバ装置２はコンテンツを特定するための項目の履歴データが携帯電話機１から送られてきた場合、送られてきた多数の履歴データを項目毎に分析する。
分析は項目（楽曲データであれば、タイトル，アーティスト名，ジャンルなどが各項目に当たる）について、各項目毎に同一名称のものが何個あるか算出する。その中で、例えば項目ａについて同一名称Ａが最も多いコンテンツを推薦の対象であると決定する。コンテンツ配信サービスサーバ装置３では項目ａについて同一名称Ａで特定される同じコンテンツが読み出され、そのコンテンツを第１推薦コンテンツ，第２推薦コンテンツとして携帯電話機１にダウンロードされることとなる。嗜好情報収集サーバ装置２はコンテンツ推薦の対象を項目ａの内容によって行う以外に、項目ｂ，ｃ・・・の内容によって行うことができる。また、コンテンツ配信サービスサーバ装置３とともに同じデータベースを共有する。
【００１０】
図２は、携帯電話機の外観を示す図である。
ユーザは携帯電話機１を用いてサーバ装置からコンテンツをダウンロードする場合、ボタン１４を操作してサーバ装置にアクセスすることとなる。その際にコンテンツダンロード要求を選択する画面などが液晶表示部１２に表示され、十字キー１３を操作して画面上の要求を行うボタン１４を押すことによりコンテンツ配信サービスサーバ装置３からコンテンツをダウンロードすることができる。
【００１１】
図３は、携帯電話機の回路の実施の形態を示すブロック図である。以後の説明は、ダウンロードするコンテンツを着信メロディの曲データとして説明をする。
アンテナ２０からの受信信号は送受分離器２１で受信部２２に入力されて復調され、復調信号はデータ処理部２４に送られる。データ処理部２４では、デコード処理され，多重信号がチャネル分離され、サウンド処理部２５で音声圧縮データがデコードされた後、アナログ信号に変換されてスピーカ２６より出力される。
マイク２７に入力した音声はサウンド処理部２５でディジタル信号に変換された後、音声圧縮され、データ処理部２４でチャネル多重化されコード化処理され、送信部２３で変調され、送受分離器２１を介してアンテナ２０より送信される。
着呼，発信の際、ＣＰＵ２８の電話制御機能部２８ａがキー入力部３２の操作に従って上記各回路部を制御することより通話が可能となる。また、インターネット５上のサーバ装置（嗜好情報収集サーバ装置２，コンテンツ配信サービスサーバ装置３を含む）にアクセスし、データ送受信制御部２８ｂによりデータを送信したり、サーバ装置からのデータを受信したりすることができる。
【００１２】
メモリ部２９には携帯電話機全体の制御を行う制御プログラム２９ａ，電話制御を行う通話制御プログラム２９ｂ，データ送受信を行うデータ送受制御プログラム２９ｃの他に推薦システム制御のための推薦システムプログラム２９ｄおよび必要なデータ２９ｅが格納される。さらに履歴データ格納エントリーに着信メロディの曲データをダウンロードしたときの履歴データ２９ｆが格納される。
ＣＰＵ２８は制御プログラム，通話制御プログラム，データ送受制御プログラムおよび推薦システムプログラムをメモリ部２９から読み出し実行することにより電話制御機能部２８ａ，データ送受信制御部２８ｂの他に推薦システム制御部２８ｃの機能を立ち上げる。
【００１３】
推薦システム制御部２８ｃはサーバ装置から推薦システムを使用するか否かの問い合わせの応答信号を受信すると、推薦システムを使用するか否かを選択するための画面を液晶表示部１２に表示する。ユーザがキー入力部３２のボタンを操作することにより、推薦システムを使用する，使用しないを選択できるようになっている。推薦システムを使用するを選択した場合には、メモリ部２９より履歴データを読み出してサーバ装置に履歴データを送信する。推薦システムを使用しないを選択した場合は、その旨の応答信号がサーバ装置に送信される。なお、ユーザが特定のボタン操作することにより推薦システム制御部２８ｃが自動的に推薦システムを使用するようにも，使用しないようにも予め設定することが可能である。このような設定がなされている場合には、推薦システムを使用するか否かを選択するための画面は表示されることなく、設定通りの処理がなされる。使用するという設定ではユーザの了解の下、暗黙的に蓄積された履歴情報をサーバ装置に送信することとなる。
【００１４】
図４は、嗜好情報収集サーバ装置およびコンテンツ配信サービスサーバ装置の詳細を示すブロック図である。
嗜好情報収集サーバ装置は通信部４１を通じてインターネットへのデータの送受信が可能である。ＲＯＭ４３にはＣＰＵ４２によってサーバ制御部４２ａの他、要求受信部４２ｂ，推薦システム使用問合せ部４２ｃ，嗜好情報分析部４２ｄ，流行曲決定部４２ｅおよび推薦曲決定部４２ｆの各機能を実現するためのプログラムが格納されている。
サーバ制御部４２ａは、サーバ装置全体を管理するもので、サーバ装置のデータの更新，メンテナンスなどの制御を行うものである。要求受信部４２ｂは、携帯電話機１からの種々のアクセス要求を受信するもので、着信メロディの曲データのダウンロード要求も受信するものである。
【００１５】
推薦システム使用問合せ部４２ｃは、着信メロディの曲データのダウンロード要求があった場合、推薦システムを使用するか否かを問い合わせる応答信号を送信するものである。嗜好情報分析部４２ｄは、携帯電話機１から送られてくる履歴データを分析し、分析結果に基づき推薦すべき曲データを選択するための嗜好情報を出力するものである。流行曲決定部４２ｅは、推薦システムを使用しない場合にサーバ装置が予め推薦すべき曲データを決定するもので、サーバに存在する音楽き最新動向などの一般的な情報で推薦曲を判断する。例えば、ポップスが流行していれば、ポップスの曲を推薦する。
推薦曲決定部４２ｆは嗜好情報分析部４２ｄから受け取った嗜好情報を用いて着信メロディ曲データベース４５を検索し、検索により抽出された着信メロディを第１推薦曲，第２推薦曲として決定するものである。
【００１６】
コンテンツ配信サービスサーバ装置において、通信部５１はインターネットを通じてデータの送受信が可能である。
ＲＯＭ５４にはＣＰＵ５２によってサーバ制御部５２ａの他、着信メロディ配信部５２ｂの各機能を実現するためのプログラムが格納されている。
サーバ制御部５２ａは、コンテンツ配信サービスサーバ装置全体を管理するもので、サーバ装置のデータの更新，メンテナンスなどの制御を行うものである。着信メロディ配信部５２ｂは、流行曲決定部４２ｅまたは推薦曲決定部４２ｆで決定した着信メロディの曲データを、ダウンロードを要求した携帯電話機１に送信するものである。
【００１７】
図５はユーザの嗜好分析のために用いられる楽曲データベースの例を示す図である。
着信メロディの曲データベース４５には各楽曲データであるタイトル，アーティスト，ジャンル，キーワード，話題度の項目が付加されて格納されている。例えば、表の最も上に表示されている楽曲の項目はタイトルが「×××タリウム」，アーティストが「○○愛」，ジャンルが「Ｊ−ＰＯＰ女性Ｖｏ」，キーワードが「ヒット曲，ドラマ主題歌」，話題度が「Ａ」という内容である。タイトル，アーティストの項目にはその楽曲のタイトル，アーティストが記述され、アーティストが複数人参加している場合には複数人の名前が記述される。ジャンルの項目は楽曲を大まかな傾向に分けるため複数のジャンルに分類したもので、分類されたジャンルの一つが記述されている。キーワードの項目は曲の傾向や実績などを詳しく記述するもので、予め選抜した多数のキーワードの内，どれに相当するか１またはそれ以上記述したものである。話題度の項目は売り上げやＣＤランキング，時節などを考慮して決められるもので、段階的に保持し５〜１０段階で記述される。上記の内容に照らして話題性が大きいければＡとし、その程度によってＢ，Ｃ・・・とランク付けすることになる。データベースに加える場合、サーバ装置側で手動または他所の情報を元に自動でＡ，Ｂ，Ｃ・・・とランキング付けする。
【００１８】
図６は携帯電話機とサーバ装置（嗜好情報収集サーバ装置，コンテンツ配信サービスサーバ装置）との間の着信メロディダウンロードを行うための通信の流れを説明するための図である。
ユーザが携帯電話機１を操作して着信メロディのダウンロード要求をサーバ装置に送出する。ユーザはキー入力部３２を操作して着信メロディのダウンロードするための画面を開き、画面上の着信メロディのダンウロードのボタンを押すと、ＣＰＵ２８のデータ送受信制御部２８ｂはダウンロード要求信号を送信部２３，ＤＵＰ２１を介して送出する。ダウンロード要求信号は携帯電話用通信事業者システム４，インターネット５を介して嗜好情報収集サーバ装置２に送られる（ステップ（以下「Ｓ」という）００１）。
【００１９】
嗜好情報収集サーバ装置２の要求受信部４２ｂは通信部４１を介して携帯電話機から要求を受け取り、制御を推薦システム使用問合せ部４２ｃに渡す。推薦システム使用問合せ部４２ｃは、携帯電話機に対し折り返し、推薦システムを使用するか否かの問い合わせをする応答信号を送出する（Ｓ０１１）。携帯電話機１側ではデータ送受信制御部２８ｂが問い合わせの応答信号を受信し、推薦システム制御部２８ｃに制御を渡す。推薦システム制御部２８ｃは液晶表示部１２に推薦システムを使用するか否かを選択する画面を表示する。ユーザはキー入力部３２によって何れかを選ぶことができる（Ｓ００２）。
「推薦システムを使用しない」が選択された場合には、その情報がデータ送受信制御部２８ｂ，送信部２３，ＤＵＰ２１を介し、さらにインターネット５を介して嗜好情報収集サーバ装置２の要求受信部４２ｂに送信される。要求受信部４２ｂは制御を流行曲決定部４２ｅに渡す。
【００２０】
流行曲決定部４２ｅは、最新の音楽動向の情報を元にダウンロードすべき曲を決定するものである（Ｓ０１２）。例えばＣＤの売り上げが多いものを基準にする場合には、最も売り上げの多い曲を決定する。また、所定の期間のＣＤランキングの高いものを決定する。決定内容の楽曲データはサーバ制御部４２ａによって通信部４１，インターネット５，携帯電話用通信事業者システム４，データ送受信制御部２８ｂを介して携帯電話機１に送られる。携帯電話機１のデータ送受信制御部２８ｂは楽曲データを受信し、ユーザは着信メロディを使用することが可能となる（Ｓ００４）。
【００２１】
一方、ユーザが「推薦システムを使用する」を選択した場合には推薦システム制御部２８ｃはメモリ部２９から現在までダウンロードした曲の履歴データを読み出し、データ送受信制御部２８ｂを介して嗜好情報収集サーバ装置２に送信する（Ｓ００３）。嗜好情報収集サーバ装置２の要求受信部４２ｂは携帯電話機のユーザがダウンロードした曲の履歴情報を受信すると、該履歴情報を嗜好情報分析部４２ｄに渡す。嗜好情報分析部４２ｄは送られてきた履歴情報を（１）アーティストによる推薦，（２）ジャンル（＋アーティスト名）による推薦，または（３）キーワード（＋アーティスト名）による推薦の何れかによる分析を行う（Ｓ０１３）。
これら（１），（２）または（３）による推薦のいずれかにするかは、サーバ装置で予め設定することもできる。または、携帯電話機でユーザがこの推薦方式を選んで設定しておくことができる。
【００２２】
図７にアーティストによる楽曲を推薦する例を示す。
（ａ）は履歴情報のアーティストの項目について共通するアーティスト名を抽出した状態を示している。アーティスト名は「Ｍｒ．××××」が５曲，「△△△Ｋｉｓ」が２曲，「△△麻衣」が１曲となっている。嗜好情報分析部４２ｄは、「Ｍｒ．××××」が５曲で最も多いのでアーティスト名「Ｍｒ．××××」を嗜好情報とする。
【００２３】
図８にジャンルによる楽曲を推薦する例を示す。
この例は、どのアーティトも同じくらいダウンロードしているなどアーティスト推薦が上手に決められない場合などに有効である。
（ａ）は履歴情報のジャンルの項目について共通するジャッル名を抽出した状態を示している。ジャンル名は「Ｊ−ＰＯＰ男性Ｖｏ」が５曲，「ラップ」が３曲となっている。嗜好情報分析部４２ｄは、ジャンル名が「Ｊ−ＰＯＰ男性Ｖｏ」が最も多いので、ジャンル名「Ｊ−ＰＯＰ男性Ｖｏ」を選択するが、さらにその中でアーティト名は「Ｍｒ．××××」が３曲で最も多いのでジャンルが「Ｊ−ＰＯＰ男性Ｖｏ」で、アーティスト名が「Ｍｒ．××××」を嗜好情報とする。
【００２４】
図９にキーワードによる楽曲を推薦する例を示す。
この例は、ジャンルに偏りがあるなどジャンル推薦が上手に決められない場合などに有効である。
（ａ）は履歴情報のキーワードの項目について共通するキーワードを抽出した状態を示している。キーワードは「バレンタイン」が３曲，「ドラマ主題歌」が２曲，「ベスト」が１曲，「アルバムベスト」が１曲となっている。嗜好情報分析部４２ｄは、キーワードが「バレンタイン」が最も多いので、キーワード「バレンタイン」が入っているものを優先的に選択するが、さらにアーティストの項目を見ると「Ｍｒ．××××」が２曲，「△△△Ｋｉｄｓ」が２曲であるので、キーワードが「バレンタイン」で、アーティストが「Ｍｒ．××××」を嗜好情報とする。「△△△Ｋｉｄｓ」も２曲であるので，キーワードが「バレンタイン」で、アーティストが「△△△Ｋｉｄｓ」も嗜好情報として加える。
【００２５】
このようにして嗜好情報が決められると、推薦曲決定部４２は決められた嗜好情報に基づき着信メロディの曲データベース（図７の例）を検索する。
図７（ｂ）はアーティストによる楽曲の推薦で決定された推薦曲の例を、図８（ｂ）はジャンルによる楽曲の推薦で決定された推薦曲の例を、図９（ｂ）はキーワードによる楽曲の推薦で決定された推薦曲の例ををそれぞれ示している。
図７（ｂ）ではアーティスト名「Ｍｒ．××××」を嗜好情報として検索した結果、第１推薦曲としてタイトル「君が△△」が、第２推薦曲としてタイトル「ＨＥ○○」が決定される。
【００２６】
図８（ｂ）ではジャンルが「Ｊ−ＰＯＰ男性Ｖｏ」で、アーティスト名が「Ｍｒ．××××」を嗜好情報として検索した結果、第１推薦曲としてタイトル「君が△△」が、第２推薦曲としてタイトル「Ｍｒ．××××アルバム「Ｉ○○○Ｕ」メドレー」が決定される。
図９（ｂ）ではキーワードが「バレンタイン」で、アーティストが「Ｍｒ．××××」のものと、キーワードが「バレンタイン」で、アーティストが「△△△Ｋｉｄｓ」の嗜好情報として検索した結果、第１推薦曲としてタイトル「君が△△」が、第２推薦曲としてタイトル「××××キッス」が決定される。アーティストが「△△△Ｋｉｄｓ」を検索できなかったので、アーティストが「△△△Ｋｉｄｓ」を含むものは存在しない。
【００２７】
このようにして推薦曲決定部４２ｆが推薦曲を決定する。なお、推薦曲が決定することにより、この時点で嗜好情報は破棄される。
推薦曲（タイトル名）は通信インタフェース４６を通じてコンテンツ配信サービスサーバ装置のサーバ制御部５２ａに送られ、着信メロディ配信部５２ｂに渡される。着信メロディ配信部５２ｂは推薦曲（タイトル名）を着信メロディ曲データベース４５から読み出し、通信部５１，インターネット５，携帯電話用通信事業者システム４を介して携帯電話機に送信する（Ｓ０１４）。携帯電話機１では液晶画面１２に第１推薦曲，第２推薦曲が表示され、ユーザが何れかを選択することにより、ダウンロードすることができる。
【００２８】
なお、嗜好情報収集サーバ装置には携帯電話機からの履歴情報および分析した結果の嗜好情報を蓄積しておくことが可能である。
また、実施の形態として携帯電話機を対象としたが、他の携帯端末でも同様にダウンロードすることができる。
さらに、ダウンロードコンテンツとして着信メロディを対象としたが、アプリケーションソフトやボーカルを対象とすることもできる。かかる場合、コンテンツの項目は着信メロディの場合とは異なる項目となり、この項目を用いてアプリケーションソフトやボーカルの嗜好情報を決定することができる。
【産業上の利用可能性】
【００２９】
携帯端末に蓄積されている情報を基にユーザの嗜好を分析し最適なサービスを提供する自動ユーザ嗜好収集システムである。  
【図面の簡単な説明】
【００３０】
【図１】本発明による携帯端末における自動ユーザ嗜好収集システムの概略を示す図である。
【図２】携帯電話機の外観を示す図である。
【図３】携帯電話機の回路の実施の形態を示すブロック図である。
【図４】嗜好情報収集サーバ装置およびコンテンツ配信サービスサーバ装置の詳細を示すブロック図である。
【図５】ユーザの嗜好分析のために用いられる楽曲データベースの例を示す図である。
【図６】携帯電話機とサーバ装置（嗜好情報収集サーバ装置，コンテンツ配信サービスサーバ装置）との間の通信の流れを説明するための図である。
【図７】アーティスト名による楽曲を推薦する例を説明するための図である。
【図８】ジャンルによる楽曲を推薦する例を説明するための図である。
【図９】キーワードによる楽曲を推薦する例を説明するための図である。
【符号の説明】
【００３１】
１  携帯電話機  
１ａ  ユーザ
２  嗜好情報収集サーバ装置  
３  コンテンツ配信サービスサーバ装置  
４  携帯電話用通信事業者システム  
１２  液晶表示部    
１３  十字キー
１４  ボタン
２０  アンテナ
２１  ＤＵＰ
２２  受信部
２３  送信部
２４  データ処理部
２５  サウンド処理部
２６  スピーカ
２７  マイク
２８，４２，５２  ＣＰＵ
２９  メモリ部
３２  キー入力部
４１，５１  通信部
４３，５４  ＲＯＭ
４４，５５  ＲＡＭ
【図１】
2008269382.tif 000003
【図２】
2008269382.tif 000004
【図３】
2008269382.tif 000005
【図４】
2008269382.tif 000006
【図５】
2008269382.tif 000007
【図６】
2008269382.tif 000008
【図７】
2008269382.tif 000009
【図８】
2008269382.tif 000010
【図９】
2008269382.tif 000011